(57)【要約】      （修正有）【課題】固着部との着脱作業性の向上、取り外しに際する作業灯の電気配線の断線による故障の未然防止が可能となる作業灯を提供する。【解決手段】固着部に着脱可能に支持固定されるとともに、外部電源から配線を介して電力を引き込み、光源にて発光させ、反射板により光を前照面側に出射させる作業灯において、配線はコネクタ２とともに作業灯１のハウジングに内蔵されるとともに、ハウジングには外部からの電力を引き込むソケット４を備える。ソケットは、ハウジングの背面下方側に設けられているのが好ましい。【選択図】図１
0003200225.tif 000002
【実用新案登録請求の範囲】
【請求項１】
固着部に着脱可能に支持固定されるとともに、外部電源から配線を介して電力を引き込み、かかる電力を光源にて発光させ、反射板により光を前照面側に出射させる作業灯において、
前記配線はコネクタとともにハウジングに内蔵されるとともに、かかるハウジングには外部からの電力を引き込むソケットを備えたことを特徴とする作業灯。
【請求項２】
前記ソケットは、ハウジングの背面下方側に設けられていることを特徴とする請求項１に記載の作業灯。
【考案の詳細な説明】
【技術分野】
【０００１】
本考案は、産業車輌用の作業灯に関するものであり、特に作業灯の車輌等の固着部への着脱構造に、新規な改良を施した作業灯に関するものである。
【背景技術】
【０００２】
夜間の屋外等での作業灯或いは産業用車輌用の前照灯としては、プロジェクタ型の作業灯が知られている。ハロゲンランプ或いはLED等を用いた従来型の作業灯の概略構造につき、図３を参照して説明する。図３は従来型の作業灯の構造を示す側面図である。図３中左側が前照面で、右側が背面である。作業灯下部には作業灯を産業用の特殊車輌或いは設置台等の図示せぬ固着部に固着するネジ付ロッド３が配置されている。これにより、外部から加わる振動や衝撃等から作業灯１１を機械的に支えている。
【０００３】
そして、同じく作業灯１１下部からは、作業灯１１へ電力を供給する電気配線が引き出されており、端部にはコネクタ１２を設けて図示せぬ外部電源に、電気的に接続されて使用される。
【０００４】
ここで、作業に際して作業灯１１を固着部から着脱する際には、ネジ付ロッド３のナットをレンチ等の工具にてボルトから取り付け、取り外すのみならず、電気配線端部のコネクタ１２をも取り付け、或いは取り外す必要がある。すなわち、作業灯１１は、固着部に機械的かつ電気的に装着・接続されることによって、はじめてその機能を発揮する。
【考案の概要】
【考案が解決しようとする課題】
【０００５】
しかしながら、煩雑な作業現場においては、作業員によって作業灯１１の着脱が手荒に扱われることが多い。特に、不慣れな作業員は、作業灯１１を固着部から取り外す際にネジ付ロッド３のみに着目してしまい、作業灯１１を強引に引っ張る挙げ句、電気配線に無理な力を加えてしまい、断線等による作業灯１１の故障の原因になっていた。
【０００６】
また、作業灯１１が必要となる夜間或いは暗闇での作業では、慣れた作業員であっても電気配線端部のコネクタ１２を探すための手間を要し、作業灯１１の固着部への着脱作業に支障をきたしていた。
【０００７】
そこで、本考案は、このような実情に鑑みてなされたものであり、作業灯の着脱手段に新たな手法を提供することにより、特に電気配線の接続手法に改良を加えることにより、上述の諸課題を解消させる作業灯を提供しようとするものである。
【課題を解決するための手段】
【０００８】
上記課題に鑑みて鋭意研究した結果、本考案者は、作業灯から引き出される電気配線を、作業灯内部に包含させることにより、作業灯の固着部への着脱作業性を向上させる作業灯を新規に考案した。
【０００９】
具体的には、電気配線端部のコネクタを、作業灯に新たに内蔵したソケットに設ける構造体を考案するに至った。これにより、作業灯の固着部との着脱作業性の向上、取り外しに際する作業灯の電気配線の断線による故障の未然防止が可能となったものである。そして、本考案を成すに至った。
【００１０】
すなわち、本考案は、固着部に着脱可能に支持固定されるとともに、外部電源から配線を介して電力を引き込み、かかる電力を光源にて発光させ、反射板により光を前照面側に出射させる作業灯において、
前記配線はコネクタとともにハウジングに内蔵されるとともに、かかるハウジングには外部からの電力を引き込むソケットを備えたことを特徴とする作業灯を提供するものである。
これにより、作業灯の固着部への着脱に際する作業性の向上が可能となる。
【００１１】
更に、本考案でのソケットは、ハウジングの背面下方側に設けられていることを特徴とする作業灯を提供するものである。
これにより、電源が照明灯の背面側に存在する場合における、作業灯の固着部への着脱に際する作業性の向上が可能となる。
【考案の効果】
【００１２】
以上説明したように、本考案の作業灯では、固着部への接続個所が機械的にも電気的にも作業灯本体に直接備わっているため、夜間の屋外作業或いは暗闇など作業灯が必要となる際にあっても、固着部との着脱作業性を大幅に向上させることが可能となる。また、作業灯を固着部から取り外す際に、ネジ付ロッドからの取り外しだけに気を取られ、作業灯を強引に引っ張った場合であっても、作業灯に内蔵されたソケットの構造上、電気配線を断線させ難く電気接続を取り外すことが可能となる。
【図面の簡単な説明】
【００１３】
【図１】本考案の作業灯にかかる断面構造を模式的に示す側面図である。
【図２】本考案の作業灯にかかる背面を示す図である。
【図３】従来の作業灯の構造を示す側面図である。
【考案を実施するための形態】
【００１４】
以下、添付図面を参照しながら、本考案の作業灯を実施するための最良形態を詳細に説明する。図１及び図２は、本考案の実施の形態を例示する図であり、この図において、同一の符号を付した部分は同一物を表わし、基本的な構成および機能は同じであるものとする。
【００１５】
図１は、本考案の作業灯の断面構造を模式的に示す側面図で、図２は、同じく本考案の作業灯の背面を示す図である。
【００１６】
図１において、本考案の作業灯１は、左側が前照面で、全体がハウジングによって外部を覆われている。下部にはネジ付ロッド３を備え、図示せぬ固着部に機械的に固着される。作業灯１内部は、ハロゲンランプやLED等の光源からの光を反射板により前照面方向に出射する。
【００１７】
そして、図中右側下方に電気配線及びコネクタ２を内蔵したソケット４が構成されている。すなわち、電力を引き込むための電気配線及びコネクタ２を内蔵したソケット４がハウジング内に内蔵される構成により、図示せぬ外部電源から光源への電気的接続を担保する。つまり、作業灯１の下方から伸び出す電気配線を無くした構造である。なお、図中右側、縦型に配置されている配線中の太い部品は、接続を担保する保護カバーであり、ビニール等の電気絶縁材によって電線を被覆している。
【００１８】
かかる構成により、照明灯１における接続個所が、機械的にも電気的にも照明灯１の本体に直接備わっているため、着脱作業が容易となり、作業灯１の作業性が向上する。特に、作業灯１を固着部から取り外す際に、ネジ付ロッド３からの取り外しだけに気を取られ、作業灯１を強引に引っ張った場合であっても、作業灯１に内蔵されてなるソケット４の構造上、無理な負荷が加わり難く電気接続も取り外すことが可能となる。
【産業上の利用可能性】
【００１９】
本考案の作業灯は、業務用作業灯及び産業車輌の作業灯として、日本のＪＩＳ規格に準拠した作業灯分野における産業の利用に供することができる。
【符号の説明】
【００２０】
１、１１・・・作業灯
２、１２・・・コネクタ
３・・・ネジ付ロッド
【図１】
0003200225.tif 000003
【図２】
0003200225.tif 000004
【図３】
0003200225.tif 000005